(57)【要約】      （修正有）【課題】見る者に感情的な効果を与え、使用前及び使用中を通じて使用者の憂鬱な気分を和らげることができ、使用感が良好な吸収性物品を提供する。【解決手段】構成部材として少なくとも、体液を吸収可能な吸収体５と、該吸収体よりも着用者の肌から近い側に配置され、該肌対向面を形成するトップシート３と、該吸収体よりも着用者の肌から遠い側に配置され、該非肌対向面を形成するバックシート４とを具備する吸収性物品１であって、単体で紫色に視認可能な紫色領域が使用者に視認可能に配置されており、冷感剤及び抗菌剤からなる群から選択される１種以上の機能材を含み、紫色領域は、吸収性物品の構成部材のうちの１つ又は複数に含まれ、機能材は、吸収性物品の構成部材のうちの１つ又は複数に含有されている。【選択図】図１
0003226498.tif 000002
【実用新案登録請求の範囲】
【請求項１】
着用者の前後方向に対応する縦方向と該縦方向に直交する横方向とを有し、体液を吸収可能な吸収体を具備する吸収性物品であって、
単体で紫色に視認可能な紫色領域が使用者に視認可能に配置されており、
冷感剤及び抗菌剤からなる群から選択される１種以上の機能材を含む、吸収性物品。
【請求項２】
前記吸収体よりも着用者の肌から遠い側に配置され、前記吸収性物品の非肌対向面を形成するバックシートを具備し、該バックシートが前記紫色領域を含み、
前記紫色領域が、前記吸収性物品の非肌対向面を目視したときに視認可能であるとともに、該吸収性物品の肌対向面を目視したときに、該肌対向面における前記吸収体の非配置領域において視認可能である、請求項１に記載の吸収性物品。
【請求項３】
前記吸収体を挟んで前記横方向の両外方に一対のウイング部を有し、該ウイング部は、前記バックシートを含んで構成され、該ウイング部と該吸収体との間に、吸収体非配置領域が前記縦方向に延在しており、
前記吸収性物品の肌対向面を目視したときに、前記ウイング部及び前記吸収体非配置領域にて前記紫色領域が視認可能であり、且つ該吸収体非配置領域は、該ウイング部に比べて、ＣＩＥ１９７６（Ｌ＊ａ＊ｂ＊）表色系における色度ａ＊が小さく、色度ｂ＊が大きい、請求項２に記載の吸収性物品。
【請求項４】
前記吸収体は、該吸収体の非肌対向面に凹陥部を有し、前記バックシートは、該凹陥部で該吸収体と接合されていない、請求項２又は３に記載の吸収性物品。
【請求項５】
前記吸収性物品の非肌対向面を目視したときに、前記吸収体の色が前記バックシートの前記紫色領域越しに視認可能であり、該紫色領域越しに視認される該吸収体の色が、該吸収性物品の肌対向面を目視したときに視認される該吸収体の色と異なる、請求項２〜４の何れか１項に記載の吸収性物品。
【請求項６】
前記吸収体が単体で非紫色の有彩色に視認可能である、請求項５に記載の吸収性物品。
【請求項７】
前記機能材として前記冷感剤を含み、前記非紫色の有彩色が青色である、請求項６に記載の吸収性物品。
【請求項８】
前記吸収性物品の肌対向面を観察した場合に視認できる前記吸収体の青色は、ＣＩＥ１９７６（Ｌ＊ａ＊ｂ＊）表色系における色度ａ＊が−１０以上０以下、色度ｂ＊が−１０以上０以下の範囲にある色であり、
前記吸収性物品の肌対向面を観察した場合に視認できる前記紫色領域の紫色は、ＣＩＥ１９７６（Ｌ＊ａ＊ｂ＊）表色系における色度ａ＊が０以上２以下、色度ｂ＊が−１０以上０以下の範囲にある色である、請求項７に記載の吸収性物品。
【請求項９】
前記吸収性物品の肌対向面を観察した場合に視認できる、前記青色と前記紫色との色度ａ＊の差が、前者から後者を差し引いた場合に、３以上２０以下であり、
前記吸収性物品の肌対向面を観察した場合に視認できる、前記青色と前記紫色との色度ｂ＊の差が、前者から後者を差し引いた場合に、−０．５以上−１０以下である、請求項８に記載の吸収性物品。
【請求項１０】
前記吸収性物品の非肌対向面に、該吸収性物品を包装する包装材が配置されており、該包装材は透明部分を有し、該透明部分越しに該吸収性物品の色が視認可能である、請求項１〜９の何れか１項に記載の吸収性物品。
【考案の詳細な説明】
【技術分野】
【０００１】
本考案は、生理用ナプキンなどの吸収性物品に関する。
【背景技術】
【０００２】
生理用ナプキン等の吸収性物品は、典型的には、経血等の体液を吸収可能な吸収体と、該吸収体よりも着用者の肌から近い側に配置されたトップシートと、該吸収体よりも着用者の肌から遠い側に配置されたバックシートとを含んで構成されている。また、吸収性物品では、体液の吸収後に不快な悪臭が発生する、着用者の肌と体液との接触あるいは蒸れによって肌にかぶれ等のトラブルが生じる等の不都合が懸念される。このような不都合を解消する目的で、吸収性物品に抗菌剤や冷感効果を有する冷感剤を含有させることが知られている。
【０００３】
特許文献１には、メントール等の清涼剤を含有する吸収性物品が記載され、また、該吸収性物品の一部または全部を、該吸収性物品とともに着用される下着の色と適合する色に着色してもよいことが記載されている（特許文献１の［０１６０］）。
【先行技術文献】
【特許文献】
【０００４】
【特許文献１】特表２００４−５２８０９０号公報
【考案の概要】
【考案が解決しようとする課題】
【０００５】
本考案の課題は、見る者に感情的な効果を与え、使用前及び使用中を通じて使用者の憂鬱な気分を和らげることができ、使用感が良好な吸収性物品を提供することに関する。
【課題を解決するための手段】
【０００６】
本考案は、着用者の前後方向に対応する縦方向と該縦方向に直交する横方向とを有し、体液を吸収可能な吸収体を具備する吸収性物品であって、単体で紫色に視認可能な紫色領域が使用者に視認可能に配置されたものである。
本考案の吸収性物品の一実施形態では、該吸収性物品は、冷感剤及び抗菌剤からなる群から選択される１種以上の機能材を含む。
本考案の他の特徴、効果及び実施形態は、以下に説明される。
【考案の効果】
【０００７】
本考案の吸収性物品は、見る者に感情的な効果を与え、使用前及び使用中を通じて使用者の憂鬱な気分を和らげることができ、使用感が良好である。
【図面の簡単な説明】
【０００８】
【図１】図１（ａ）は、本考案の吸収性物品の一実施形態である生理用ナプキンの肌対向面側（トップシート側）を一部破断して模式的に示す平面図、図１（ｂ）は、該生理用ナプキンの非肌対向面側（バックシート側）の模式的な平面図である。
【図２】図２は、図１のＩ−Ｉ線断面の一実施形態を模式的に示す横断面図である。
【図３】図３は、図１のＩ−Ｉ線断面の他の実施形態を模式的に示す横断面図である。
【図４】図４は、図１に示す生理用ナプキンの個装体の模式的な斜視図である。
【図５】図５は、図４に示す個装体を一部展開した状態の内面側（生理用ナプキン側）を模式的に示す斜視図である。
【図６】図６は、図４に示す個装体を展開した状態の内面側（生理用ナプキン側）を模式的に示す平面図である。
【考案を実施するための形態】
【０００９】
以下、本考案をその好ましい実施形態に基づき図面を参照しながら説明する。なお、以下の図面の記載において、同一又は類似の部分には、同一又は類似の符号を付している。図面は基本的に模式的なものであり、各寸法の比率などは現実のものとは異なる場合がある。
【００１０】
図１〜図３には、本考案の吸収性物品の一実施形態である生理用ナプキン１が示されている。ナプキン１は、着用者の前後方向、すなわち腹側から股間部を介して背側に延びる方向に対応する縦方向Ｘと、該縦方向Ｘに直交する横方向Ｙとを有し、体液を吸収可能な吸収体５を具備する。
ナプキン１は、吸収体５として、図２に示すシートタイプの吸収体５Ａを具備してもよく、図３に示す積繊タイプの吸収体５Ｂを具備してもよい。後述の吸収体５についての説明は、特に断らない限り、吸収体５Ａ，５Ｂの双方に適用される。
【００１１】
ナプキン１は、吸収体５よりも着用者の肌から遠い側に配置され、ナプキン１の非肌対向面Ｓｂを形成するバックシート４を具備する。より具体的には、ナプキン１は、吸収体５と、該吸収体５の非肌対向面側に配置されたバックシート４と、該吸収体５よりも着用者の肌から近い側に配置され、ナプキン１の肌対向面Ｓａを形成するトップシート３とを具備する。トップシート３は、ナプキン１の着用時に着用者の肌と接触し得る部材であり、典型的には、液透過性である。一方バックシート４は、典型的には、液不透過性若しくは液難透過性又は撥水性（要するに防漏性）である。
ナプキン１の肌対向面Ｓａ及び非肌対向面Ｓｂは、何れもナプキン１の最表面である。ナプキン１の着用時において、肌対向面Ｓａは着用者の肌と当接可能であり、非肌対向面Ｓｂは、肌対向面Ｓａとは反対側に位置する。
【００１２】
本明細書において、「肌対向面」は、吸収性物品又はその構成部材（例えば吸収体５）における、吸収性物品の着用時に着用者の肌側に向けられる面、すなわち着用者の肌に相対的に近い側であり、「非肌対向面」は、吸収性物品又はその構成部材における、吸収性物品の着用時に肌側とは反対側、すなわち着用者の肌から相対的に遠い側に向けられる面である。なお、ここでいう「着用時」は、通常の適正な着用位置、すなわち当該吸収性物品の正しい着用位置が維持された状態を意味する。
【００１３】
ナプキン１は、着用者の股間部に配され、着用者の膣口等の排泄部に対向する排泄部対向部（図示せず）を含む縦中央域Ｍと、該縦中央域Ｍよりも着用者の前側（腹側）に配される前方域Ｆと、該縦中央域Ｍよりも着用者の後側（背側）に配される後方域Ｒとの３つに区分される。
【００１４】
ナプキン１は、吸収体５を挟んで横方向Ｙの両外方に、一対のウイング部２Ｗ，２Ｗを有している。ウイング部２Ｗは、バックシート４を含んで構成されている。より具体的には、図１に示すように、吸収体５の縦方向Ｘに沿う両側縁から横方向Ｙの外方に一対のサイドフラップ部２Ｓ，２Ｓが延在し、更に縦中央域Ｍにおいてサイドフラップ部２Ｓが周辺部よりも横方向Ｙの外方に延在して、縦中央域Ｍにおける吸収性本体部２の縦方向Ｘに沿う左右両側に、一対のウイング部２Ｗ，２Ｗが延設されている。ウイング部２Ｗは、その非肌対向面に、該ウイング部２Ｗをショーツ等の着衣に固定する固定手段としてのウイング部粘着部（図示せず）が設けられている。なお、ウイング部２Ｗは、ショーツ等の着衣のクロッチ部の非肌対向面（外面）側に折り返されて用いられるため、前記ウイング部粘着部の形成面であるウイング部２Ｗの非肌対向面は、その使用時には着用者の肌側に向けられ、肌対向面となる（図６参照）。また、サイドフラップ部２Ｓ，２Ｓに挟まれた領域である、吸収性本体部２の非肌対向面すなわちバックシート４の非肌対向面には、ナプキン１をショーツ等の着衣に固定する固定手段としての本体粘着部１０が設けられている。前記ウイング部粘着部及び本体粘着部１０は、それぞれ、その使用前においてはフィルム、不織布、紙等からなる剥離シート（図示せず）によって被覆されている。
【００１５】
なお、本考案において、ウイング部を有しない吸収性物品（例えば典型的な使い捨ておむつ）における縦中央域は、該吸収性物品を縦方向に三等分したときに中間に位置する領域に相当する。
【００１６】
ナプキン１では、トップシート３と吸収体５との間に、セカンドシート６が配置されている。セカンドシート６は、トップシート３及び吸収体５とは別体のシートで、当該技術分野においてサブレイヤーシートとも呼ばれるシートであり、トップシート３及び／又は吸収体５とは接着剤等によって部分的に接合されている。
【００１７】
図２及び図３に示すように、トップシート３及びセカンドシート６は、吸収体５の肌対向面の全域を被覆し、更に吸収体５の縦方向Ｘに沿う両側縁から横方向Ｙの外方に延出している。一方、バックシート４は、吸収体５の非肌対向面の全域を被覆し、更に吸収体５の縦方向Ｘに沿う両側縁から横方向Ｙの外方に延出している。バックシート４の吸収体５の側縁からの延出長さは、トップシート３及びセカンドシート６それぞれの吸収体５の側縁からの延出長さに比べて長い。バックシート４とサイドシート７とは、吸収体５の縦方向Ｘに沿う両側縁からの延出部において、接着剤、ヒートシール、超音波シール等の公知の接合手段によって互いに接合されている。サイドフラップ部２Ｓは、ナプキン１における、吸収体５（吸収性本体部２）から横方向Ｙの外方に延出する部材からなる部分であり、図示の形態では、トップシート３、セカンドシート６、サイドシート７及びバックシート４を含んで構成されている。
【００１８】
ナプキン１では、吸収性本体部２の肌対向面（トップシート３の肌対向面）における縦方向Ｘに沿う両側部に、平面視において吸収体５の縦方向Ｘに沿う左右両側部に重なるように、一対のサイドシート７，７が吸収性本体部２の縦方向Ｘの略全長にわたって配されている。一対のサイドシート７，７は、それぞれ縦方向Ｘに延びる図示しない線状の接合部にて、接着剤等の公知の接合手段によってトップシート３等の他の部材に接合されている。サイドシート７は、トップシート３とともに、ナプキン１の肌対向面Ｓａを形成する。
【００１９】
ナプキン１を構成する前述の各部材としては、当該部材についての後述の説明に沿うものであることを前提として、この種の吸収性物品において通常使用されているものを特に制限なく用いることができる。トップシート３としては、例えば、液透過性を有する単層又は多層構造の公知の不織布を用いることができる。バックシート４としては、防漏性を有するシート、すなわち液不透過性（液を全く通さない性質）又は液難透過性（液不透過性とまでは言えないものの、液を通し難い性質）を有するシートを用いることができ、例えば、透湿性の樹脂フィルムが挙げられる。セカンドシート６としては、トップシート３として使用可能なものを用いることができる。サイドシート７としては、撥水性又は撥水処理された不織布を用いることができる。
【００２０】
ナプキン１は、図１（ａ）に示すように、吸収体５と該吸収体５の肌対向面側に配置された部材（図示の形態ではトップシート３及びセカンドシート６）とが該吸収体５の非肌対向面側（バックシート４側）に一体的に凹陥した肌側凹陥部８を有している。肌側凹陥部８は、吸収体５を厚み方向に貫通しておらず、トップシート３の肌対向面に開口を有するとともに、吸収体５の内部における該開口とは反対側に底部を有する。肌側凹陥部８は、経血等の体液の面方向の移動を阻害する機能を有する。図示の形態では、肌側凹陥部８は平面視において一方向に延びる線状を有し、肌側凹陥部８全体としては平面視で閉じた環状を有している。肌側凹陥部８は、少なくとも縦中央域Ｍに形成される。
【００２１】
ナプキン１では、図１（ｂ）に示ように、吸収体５は、該吸収体５の非肌対向面に非肌側凹陥部９を有している。バックシート４は、図２に示すように、非肌側凹陥部９では吸収体５と接合されておらず、非肌側凹陥部９以外の部分で接着剤１１を介して吸収体５と接合されている。非肌側凹陥部９は、吸収体５を厚み方向に貫通しておらず、吸収体５の非肌対向面に開口を有するとともに、吸収体５の内部における該開口とは反対側に底部を有する。非肌側凹陥部９は、肌側凹陥部８と平面視で重なる位置に配置されている。図示の形態では、非肌側凹陥部９は肌側凹陥部８と平面視形状が同じである。
【００２２】
前記の凹陥部８，９は、何れも公知の圧搾加工により形成されており、その形成方法から「圧搾部」と言うことができる。圧搾部である凹陥部８，９は、周辺の非圧搾部に比べて密度が高い。吸収体５においては、凹陥部８，９と平面視で重複する部分である高密度部と、凹陥部８，９が形成されていない低密度部とが併存し、これにより、吸収体５の肌対向面及び非肌対向面側ではそれぞれ面方向に密度差が生じている。
【００２３】
吸収体５について説明する。吸収体５は吸収性本体部２の主体をなし、吸収体５の平面視における輪郭は、吸収性本体部２の平面視における輪郭を形成している。吸収体５は、前方域Ｆから縦中央域Ｍを介して後方域Ｒにわたって縦方向Ｘに延在している。
【００２４】
図２には、吸収体５として使用可能な吸収体５Ａが示されている。吸収体５Ａは、シート状の吸収体である吸収性シートを主体とする吸収体であり、後述する積繊タイプの吸収体５Ｂに比べて、厚みが薄く柔軟である。前記吸収性シートは、典型的には、木材パルプ等の繊維材料を主体とする繊維シートと、該繊維シートの内部又は表面に固定された吸水性ポリマー等の吸水性材料とを含んで構成されている。前記吸収性シートは、相対向する２枚のシート間に吸水性ポリマーの粒子が介在配置された構成を有するものであり得る。前記吸収性シートとしては、例えば、特許第２９６３６４７号公報、特許第２９５５２２３号公報に記載のものを利用することができる。
【００２５】
吸収体５Ａは、ナプキン１の横方向Ｙの中央部に配置される中央吸収性シート５０と、該シート５０の全体を覆い、吸収体５Ａの外面（肌対向面、非肌対向面）を形成する本体吸収性シート５１とを含む。両シート５０，５１は、何れも前記吸収性シートである。
図示の形態では、両シート５０，５１は、何れも１枚のシートを折り畳んでなる積層構造を有している。中央吸収性シート５０の積層構造は、本体吸収性シート５１の積層構造に比べて、縦方向Ｘ及び横方向Ｙの双方の長さが短く、本体吸収性シート５１の積層構造の内部、具体的には、折り重ねられた２枚のシート５１，５１の間に配置されている。本体吸収性シート５１の積層構造の平面視における輪郭は、吸収体５Ａの平面視における輪郭を形成している。中央吸収性シート５０は、縦中央域Ｍの前記排泄部対向部に配置される。中央吸収性シート５０の配置部（両シート５０，５１の重複部）は、周辺部に比べて厚みが大きい肉厚部であり、ナプキン１の着用者の肌側に隆起している。
【００２６】
図３には、吸収体５として使用可能な吸収体５Ｂが示されている。吸収体５Ｂは、木材パルプ等の繊維材料を積もらせてなり、吸収体５Ｂの主体をなす吸収性コア５２と、該吸収性コア５２の外面（肌対向面、非肌対向面）を被覆する液透過性のコアラップシート５３とを含む。吸収性コア５２とコアラップシート５３との間は、ホットメルト接着剤等の接着剤により接合されていてもよい。吸収性コア５２は、繊維材料に加えて吸水性ポリマーを含んでいてもよく、例えば、繊維材料の集合体の内部に吸水性ポリマーの粒子が担持された構成のものが挙げられる。コアラップシート５３としては、液透過性を有するシートを用いることができ、典型的には、不織布、紙である。コアラップシート５３は、１枚のシートのみから構成されてもよく、複数枚のシートを含んで構成されていてもよい。
【００２７】
ナプキン１は、未使用時においては図４に示すように、包装材１５とともに折り畳まれて個装体２０とされている。図５には、個装体２０を一部展開した状態、図６には、個装体２０を完全に展開した状態がそれぞれ示されている。
ナプキン１の非肌対向面Ｓｂ、より具体的には、非肌対向面Ｓｂを形成するバックシート４の非肌対向面には、ナプキン１を包装する包装材１５が配置されている。包装材１５は、本体粘着部１０（図１（ｂ）参照）を介して、バックシート４に剥離自在に固定されている。個装体２０は、図６に示すように、一対のウイング部２Ｗ，２Ｗがトップシート３側に折り曲げられた状態の吸収性本体部２を、包装材１５とともに、２本の折曲線Ｌ１，Ｌ２にてトップシート３を内側にして縦方向Ｘに折り畳むことによって形成される。個装体２０の縦方向Ｘに沿う両側縁部２０Ｓ，２０Ｓでは、該側縁部２０Ｓを構成する折り重ねられた２枚の包装材１５，１５どうしがヒートシール加工等によって接合されている。
【００２８】
包装材１５は透明部分を有している。ここでいう「透明部分」は、全光線透過率が好ましくは７０％以上、より好ましくは９０％以上の部分を指す。包装材１５の透明部分は無色でも有色でもよい。包装材１５は、その全体が透明部分であってもよく、一部のみが透明部分であってもよい。包装材１５は個装体２０の外面を形成しており、個装体２０を外部から目視した場合に、包装材１５の透明部分越しに、個装体２０に内包されているナプキン１の色を視認することができる。
【００２９】
本考案において「全光線透過率」は、ＪＩＳ  Ｋ７３６１−１：１９９７に準拠して測定した値を指す。全光線透過率が高いほど、透光性が高いと評価できる。全光線透過率は、市販のヘーズメーター（例えば日本電色工業株式会社製の「ＨＡＺＥＭＥＴＥＲ ＮＤＨ ５０００」）を用いて測定することができる。
【００３０】
包装材１５には、ナプキン１を該包装材１５とともに折り畳んで個装体２０としたときに該個装体２０の外面に位置して該包装材１５の端部を該包装材１５の所定位置に止着させる、止着部材１６が配置されている。止着部材１６は、図６に示すように、包装材１５の縦方向Ｘの一端部に固定されている。止着部材１６は、平面視長方形形状を有し、その長手方向が縦方向Ｘに一致している。止着部材１６の長手方向の一端部１６ａは、包装材１５に固定された固定端部であり、他端部１６ｂは、他の部材に対して非固定の自由端部である。この止着部材１６の自由端部１６ｂにおける、個装体２０において包装材１５と対向する面（個装体２０において露出する面とは反対側の面）には粘着剤（図示せず）が設けられており、該自由端部１６ｂは、該粘着剤を介して包装材１５に剥離自在に止着し得るようになされている。止着部材１６は、未使用状態の個装体２０の封止部として機能すると共に、個装体２０を開封する際に手指で摘まむ開封用摘み部としても機能する。
【００３１】
ナプキン１は、１）単体で紫色に視認可能な紫色領域が使用者に視認可能に配置されている点、並びに２）冷感剤及び抗菌剤からなる群から選択される１種以上の機能材を含む点で特徴付けられる。
前記１）の紫色領域は、当該領域を他の部材を介さずに直接目視した場合に視認される色が紫色の領域である。本考案でいう「紫色」は、ＣＩＥ１９７６（Ｌ＊ａ＊ｂ＊）表色系において、色度ａ＊が０以上、色度ｂ＊が０以下の範囲にある色である。
【００３２】
前記の色度ａ＊及び色度ｂ＊は、それぞれ、当該色（例えば紫色）の色相及び彩度の指標となるものである。
本考案において、色度ａ＊及び色度ｂ＊並びに後述する明度Ｌ＊及び彩度Ｃ＊は、それぞれ、１９７６年に国際照明委員会（ＣＩＥ）で規格化されたＬ＊ａ＊ｂ＊表色系（ＣＩＥ１９７６（Ｌ＊ａ＊ｂ＊）表色系）に基づくものである。
色度ａ＊、色度ｂ＊、明度Ｌ＊は、それぞれ、市販の色差計（例えば、日本電色工業株式会社製のハンディ型分光色差計ＮＦ３３３（商品名））を用いて、ＪＩＳ  Ｚ  ８７８１−４に準じて測定することができる。
【００３３】
前記１）に関し、紫色は、心にある悲しみや怒りを癒す効果があるとされており、心身のバランスを整える癒しの色として、リラックスできる空間等に用いられている。また紫色は、スピリチュアリティを象徴し、インスピレーションを高め感性を広げる効果があるとして、芸術家、セラピスト、ヒーラー等に好まれる色でもある。また、寒色（例えば青色）は見る者に冷たさを、暖色（例えば赤色）は見る者に暖かさを感じさせるのに対し、紫色は中性色であるため、見る者に冷たさや暖かさなどといった極端なイメージを想起させ難い。このような心理効果をもたらす紫色の領域が、ナプキン１において使用者（着用者）に視認可能に配置されていることで、紫色の心理効果を使用者に与え、ナプキン１の使用前（例えば、ナプキン１の装着操作時）及び使用中を通じて、使用者の憂鬱な気分を和らげることができる。
【００３４】
前記２）に関し、ナプキン１は機能材が含有されていることで、その機能材によって奏される作用効果により、実際に使用感に優れている。具体的には例えば、機能材として冷感剤が含有されている場合は、冷感剤の作用によって使用者に清涼感、爽快感、ドライ感等を知覚させることでき、それによって良好な使用感が得られる。また、機能材として抗菌剤が含有されている場合は、抗菌剤の作用によって体液に起因する悪臭の発生が抑制され、それによって良好な使用感が得られる。
【００３５】
ナプキン１は、前記１）及び２）の組み合わせによる相乗効果により、前記１）及び２）をそれぞれ単体で採用した場合には奏されない格別顕著な効果を奏し得る。すなわち前記１）により、ナプキン１の使用者は、その着用前から紫色がもたらす心理効果によりリラックスし、生理中の憂鬱な気分が和らげられるなどして、良好な使用感に対する期待が高まった状態でナプキン１を着用するので、ナプキン１の着用中に前記２）によって奏される具体的な効果に対して信頼感や安心感を持つなど、肯定的な感情を持つことができ、その結果、前記２）による効果を実感しやすい。一般に、脳内でイメージされたことは、人間の感覚に対して影響を与えることが可能であり、ナプキン１はこれを利用して、ナプキン１の着用前に前記１）によりナプキン１に対して良好な使用感を期待させることで、着用中の前記２）による作用効果を一層知覚させやすくしている。
【００３６】
本考案の吸収性物品において、紫色領域は、白色又は白色に近い無彩色の部材（例えばバックシート４）の一部又は全部を印刷等の公知の染色方法によって着色したものであってもよく、紫色の原着繊維から構成されたものであってもよい。原着繊維は、繊維製造段階で着色された繊維であり、例えば、樹脂の製造から繊維化に至る段階で製造中間物に顔料等の色素を添加する、着色工程を経て製造される。
【００３７】
なお、この種の吸収性物品の構成部材の色は通常、白色又は白色に近い無彩色であり、本考案の吸収性物品においても、特に言及しない限り、構成部材の色は白色又は白色に近い無彩色である。
本明細書において、白色又は白色に近い無彩色の部材は、明度Ｌ＊が好ましくは９０以上、より好ましくは９２以上であって、色度ａ＊及び色度ｂ＊に関しては、紫色部材に比べて色度ａ＊が小さいか、又は紫色部材に比べて色度ｂ＊が大きいか、又は紫色部材に比べて色度ａ＊が小さく且つ色度ｂ＊が大きいことが好ましい。
白色又は白色に近い無彩色の部材の色度ａ＊は、好ましくは−１以上１以下、好ましくは−０．５以上０．５以下、より好ましくは下限値が０以下であり、色度ｂ＊は、好ましくは−１以上４以下、好ましくは０以上３．５以下である。
【００３８】
本考案の吸収性物品において、紫色領域は使用者に視認可能に配置されている。ここでいう「視認可能に配置」とは、吸収性物品を分解するなどして破壊せずとも、吸収性物品を外部から目視したときに紫色領域の少なくとも一部が視認できることを意味する。本考案において、紫色領域は使用者に視認可能に配置されていればよく、紫色領域を有する吸収性物品の構成部材は特に限定されない。また、１個の構成部材の一部又は全部が紫色領域であり得る。例えば、ナプキン１の構成部材の１つであるバックシート４の一部が紫色領域である場合において、バックシート４の面方向の一部が紫色領域であってもよく、バックシート４の厚み方向の一部（例えば、肌対向面側及び非肌対向面側の何れか一方）が紫色領域であってもよい。また、吸収性物品において複数の構成部材が紫色領域を有していてもよい。ナプキン１において紫色領域を有する部材（以下、「紫色部材」とも言う。）となり得る部材としては、例えば、トップシート３、バックシート４、吸収体５、セカンドシート６、サイドシート７が挙げられる。
【００３９】
図示の形態では、バックシート４が紫色領域を含んで構成されており、バックシート４は紫色部材である。バックシート４は、その全部が紫色領域であってもよく、一部が紫色領域であり、他の部分は紫色以外の色であってもよい。図示の形態では前者が採用されており、バックシート４の全体が紫色に視認可能である。バックシート４は、ナプキン１が図４に示す個装体２０とされている状態すなわち未使用状態において、個装体２０の外面を形成する包装材１５に近接配置される部材であり、比較的外部から視認されやすい部材である。このようなバックシート４が紫色であると、ナプキン１の使用前の一連の装着操作、すなわち「個装体２０を開封し、図５に示す一部展開状態を経て、図６に示す展開状態としてから、ナプキン１を股間部に装着する一連の装着操作」において使用者が紫色を確実に視認し意識し得るため、前述した紫色がもたらす心理効果が一層確実に奏される。
【００４０】
また前述したように、個装体２０の外面を形成する包装材１５は透明部分を有しており、個装体２０を目視したときに該透明部分越しにナプキン１の色を視認できるので、該透明部分越しに紫色部材（バックシート４）の紫色領域を視認できる。このため、ナプキン１の装着操作の際のみならず、個装体２０を持ち運ぶ際などにも紫色を視認することができ、紫色がもたらす心理効果がより一層確実に奏され得る。
【００４１】
ナプキン１では、紫色部材であるバックシート４の紫色領域は、図１（ｂ）に示す如くにナプキン１の非肌対向面Ｓｂを目視したときに視認可能であるとともに、図１（ａ）に示す如くにナプキン１の肌対向面Ｓａを目視したときに、少なくとも該肌対向面Ｓａにおける吸収体５の非配置領域（平面視で吸収体５と重ならない領域）において視認可能である。バックシート４はナプキン１の非肌対向面Ｓｂを形成するので、バックシート４が紫色領域を有していれば、該非肌対向面Ｓｂを目視したときにその紫色領域が視認可能であることは当然である。一方、バックシート４の肌対向面側には、吸収体５をはじめとする他の部材がバックシート４を被覆するように積層配置されているので、他の部材の配置状態によっては、ナプキン１の肌対向面Ｓａを目視したときにバックシート４の紫色領域が視認できない場合があり得る。特に、吸収体５は比較的厚みが大きく光透過性に乏しいので、吸収体５の配置領域では、ナプキン１の肌対向面Ｓａの目視においてバックシート４の紫色領域を視認できない可能性がある。しかし、吸収体５の非配置領域は通常、不織布等の比較的厚みが小さく光透過性の高いシート（例えばトップシート３、サイドシート７、セカンドシート６）が１枚又は数枚重ねられているだけであるので、ナプキン１の肌対向面Ｓａの目視においてバックシート４の紫色領域を十分に視認し得る。
【００４２】
ナプキン１における吸収体５の非配置領域、すなわちナプキン１の肌対向面Ｓａの目視においてバックシート４の紫色領域を視認し得る部分としては、ウイング部２Ｗを含むサイドフラップ部２Ｓを例示できる。特にウイング部２Ｗは、図２及び図３に示すように、バックシート４の肌対向面に不織布等からなるサイドシート７が１枚配置されているだけであるので、ナプキン１の肌対向面Ｓａの目視においてバックシート４の紫色領域を十分に視認し得る。
【００４３】
ナプキン１では、図１に示すように、ウイング部２Ｗと吸収体５との間にて吸収体非配置領域５Ｎが縦方向Ｘに延在しているところ、ナプキン１の肌対向面Ｓａを目視したときに、ウイング部２Ｗ及び吸収体非配置領域５Ｎにて紫色部材（バックシート４）の紫色領域が視認可能であり、且つ吸収体非配置領域５Ｎは、ウイング部２Ｗに比べて、その視認される色の色度ａ＊が小さく、色度ｂ＊が大きい。ナプキン１をショーツ等の着衣に装着する際には通常、ナプキン１の肌対向面Ｓａを目視しつつ、吸収体非配置領域５Ｎにてウイング部２Ｗを非肌対向面Ｓｂ側に折り曲げる操作を行うところ、前記のように構成されていることで、折り曲げるべき吸収体非配置領域５Ｎの位置が明確になるため、斯かるウイング部２Ｗの折り曲げ操作が容易になり、ナプキン１の操作性が向上し得る。
【００４４】
前記のように、ナプキン１の肌対向面Ｓａを観察した場合において、「吸収体非配置領域５Ｎの色度ａ＊＜ウイング部２Ｗの色度ａ＊」及び「吸収体非配置領域５Ｎの色度ｂ＊＞ウイング部２Ｗの色度ｂ＊」の大小関係を成立させる方法としては、例えば、１）吸収体非配置領域５Ｎにおける、紫色領域（紫色部材であるバックシート４）の肌対向面側に配置された他の部材の枚数（積層数）を、ウイング部２Ｗにおけるそれに比べて多くする方法、２）ウイング部２Ｗに圧密部を設ける方法等を例示できる。
【００４５】
ナプキン１では、前述したとおり図２及び図３に示すように、吸収体５はその非肌対向面（バックシート４との対向面）に非肌側凹陥部９を有し、バックシート４（紫色部材）は、非肌側凹陥部９で吸収体５と接合されていない。斯かる構成により、非肌側凹陥部９の配置領域（平面視で非肌側凹陥部９と重なる領域）と非配置領域とで光透過性等が異なるようになるため、ナプキン１を図１（ｂ）に示す如くに非肌対向面Ｓｂ側から目視したときに両領域で見え方が異なる結果、見る者に深みを有する立体感を与えることが可能となり、その結果、前述した機能材（冷感剤、抗菌剤）による作用効果を想起させやすくなる。
【００４６】
ナプキン１では、図１（ｂ）に示す如くに非肌対向面Ｓｂを目視したときに、吸収体５の色がバックシート４（紫色部材）の紫色領域越しに視認可能であるところ、その紫色領域越しに視認される吸収体５の色、が、ナプキン１の肌対向面Ｓａを目視したときに視認される吸収体５の色と異なる。なお、ここでいう、ナプキン１の肌対向面Ｓａ又は非肌対向面Ｓｂを目視したときの「吸収体５の色」は、吸収体５の配置領域の色、すなわちナプキン１における平面視で吸収体５と重なる領域の色と同義である。
このような吸収体５の色の見え方の違いは、例えば、吸収体５の肌対向面側に配置される部材の色（該部材が複数積層されている場合はその積層体としての色）が、バックシート４の紫色領域の紫色と異なる場合に実現し得る。図示の形態では、吸収体５の肌対向面側に配置される主要な部材はトップシート３及びセカンドシート６であるので、両シート３，６の積層体の色がバックシート４の紫色と異なる場合に、前記のように吸収体５の色の見え方が肌対向面Ｓａ側と非肌対向面Ｓｂ側とで異なり得る。トップシート３及びセカンドシート６の色は、典型的には、白色又は白色に近い無彩色である。
前記のように吸収体５の色の見え方がナプキン１の肌対向面Ｓａと非肌対向面Ｓｂとで異なることで、ナプキン１の外観から受ける印象が肌対向面Ｓａと非肌対向面Ｓｂとで異なるようになり、これにより、使用者にナプキン１に対して華やかな印象や工夫された印象を与え、着用前の使用者の憂鬱な気分を和らげることができる。また、吸収体５の色によっては、紫色部材（バックシート４）の紫色との組み合わせ（色の重なり）により、ナプキン１の肌対向面Ｓａと非肌対向面Ｓｂとで、見る者に与える心理効果だけでなく視覚効果も異ならせることが可能であり、ナプキン１の有用性がより一層向上し得る。
【００４７】
前記のように吸収体５の色（吸収体５の配置領域の色）の見え方がナプキン１の肌対向面Ｓａと非肌対向面Ｓｂとで異なる場合において、肌対向面Ｓａの目視で視認される吸収体５（吸収体５の配置領域）の色と非肌対向面Ｓｂの目視で視認される吸収体５（吸収体５の配置領域）の色とは同系統の色であることが好ましい。同系統の色どうしの違いは、見る者にその違いを認識させつつも、強い違和感は与えず、「何となく違う」という小さな違和感を与え得るところ、一般に、このような小さな違和感は比較的強く印象に残る。したがって、ナプキン１の肌対向面Ｓａ側の吸収体５の色と非肌対向面Ｓｂ側の吸収体５の色とが同系統の範囲で異なることにより、肌対向面Ｓａと非肌対向面Ｓｂとを見比べることによる小さな違和感が生じ、これにより両面Ｓａ，Ｓｂの区別が一層明確になり、ナプキン１の装着位置を正しく認識することができる。なお、ナプキン１は未使用状態では、非肌対向面Ｓｂが肌対向面Ｓａよりも外側に位置する個装体２０とされているので、ナプキン１の使用者は通常、非肌対向面Ｓｂ、肌対向面Ｓａの順でナプキン１を目視することとなり、一連の装着操作において両面Ｓａ，Ｓｂを見比べる機会がある。
【００４８】
前記の「同系統の色」とは、２０色相分割されたマンセル色相環において、当該色が属する色相範囲、又は該色相範囲の両隣に位置する２つの色相範囲に属する色を指す。例えば、紫色は前記マンセル色相環において色相範囲ＰＢ，Ｐ，ＲＰに属するので、「紫色と同系統の色」には、色相範囲ＰＢ，Ｐ，ＲＰ及びその両隣に位置する２つの色相範囲Ｂ，Ｐの何れかに属する色が含まれる。また、青色は前記マンセル色相環において色相範囲１０Ｂに属するので、「青色と同系統の色」には、色相範囲１０Ｂ及びその両隣に位置する２つの色相範囲５Ｂ，５ＰＢの何れかに属する色が含まれる。
【００４９】
また、前記のように吸収体５の色（吸収体５の配置領域の色）の見え方がナプキン１の肌対向面Ｓａと非肌対向面Ｓｂとで異なる場合において、肌対向面Ｓａの目視で視認される吸収体５（吸収体５の配置領域）の色と非肌対向面Ｓｂの目視で視認される吸収体５（吸収体５の配置領域）の色とが同系統の色であることに加えて更に、肌対向面Ｓａの目視で視認される吸収体５（吸収体５の配置領域）の色が、非肌対向面Ｓｂの目視で視認される吸収体５（吸収体５の配置領域）の色に比べて、鮮やかさに劣る淡い色であることが好ましく、具体的には彩度Ｃ＊が低いことが好ましい。これにより、ナプキン１の使用前に使用者に対し安心感をより一層確実に与えることが可能となる。彩度Ｃ＊は次式により算出される。
彩度Ｃ＊＝｛（ａ＊）２＋（ｂ＊）２｝１／２
【００５０】
例えば、吸収体５が後述するように単体で青色に視認可能な青色部材である場合において、ナプキン１の非肌対向面Ｓｂを目視したときにバックシート４（紫色部材）の紫色領域越しに視認される吸収体５（青色部材）の青色と、肌対向面Ｓａを目視したときにトップシート３及びセカンドシート６越しに視認される吸収体５（青色部材）の青色との彩度Ｃ＊の差は、前者から後者を差し引いた場合に、前者＞後者を前提として、好ましくは２以上１２以下、より好ましくは３以上１０以下である。
【００５１】
吸収体５の色は、特に限定されず、生理用ナプキンの構成部材の色として典型的な色である白色又は白色に近い無彩色でもよく、あるいはこのような典型的な色以外の他の色でもよく、バックシート４の紫色領域と同様に紫色でもよい。
【００５２】
吸収体５は、単体で非紫色の有彩色に視認可能であり得る。換言すれば、吸収体５を他の部材を介さずに直接目視した場合、視認される吸収体５の色は非紫色の有彩色であり得る。この非紫色の有彩色の具体例として、青色を例示できる。本考案でいう「青色」は、ＣＩＥ１９７６（Ｌ＊ａ＊ｂ＊）表色系において、色度ｂ＊が０以下の範囲にある色である。
【００５３】
青色は、見る者に爽やかな清涼感を想起させ得る色である。吸収体５がそれ単体で青色に視認可能な青色部材であり、その青色がナプキン１の着用前にその肌対向面Ｓａ及び／又は非肌対向面Ｓｂを目視したときに視認可能であることで、ナプキン１をこれから着用しようとする使用者に、この種の吸収性物品に抱きがちなムレ感やジメジメ感を想起させず、ナプキン１の着用中に清涼感が得られることを期待させることができ、これによってナプキン１の使用感の一層の向上が期待できる。特に、ナプキン１に含有される機能材が、青色がもたらす心理効果にマッチした作用効果を奏するものである場合、具体的には例えば、ナプキン１の着用者に冷感を知覚させる冷感剤である場合において、吸収体５が青色部材であると効果的である。
【００５４】
青色部材である吸収体を用いた吸収性物品の好ましい一実施形態として、バックシート４が紫色部材であるナプキン１において、吸収体５が単体で青色に視認可能な青色部材であり、且つ機能材として冷感剤を含む形態が挙げられる。
斯かる好ましい実施形態においては、ナプキン１の非肌対向面Ｓｂを目視したときにバックシート４の紫色領域越しに視認される吸収体５の青色は、ナプキン１の肌対向面Ｓａを目視したときに白色又は白色に近い無彩色であるトップシート３及びセカンドシート６越しに視認される吸収体５の青色と比較して、紫色との重なりによりその色合いが濃いものとなる。特に、バックシート４の紫色の色度ｂ＊が、吸収体５の青色の色度ｂ＊に比べて大きい場合に、吸収体５の青色が濃く見え易くなる。この紫色との重なりによって生じる吸収体５の濃い青色は、ナプキン１の装着操作時のみならず、ナプキン１が個装体２０とされているときにも包装材１５の透明部分越しに視認することができるので、ナプキン１の使用前に使用者に対し、青色がもたらす心理効果を十分に与えることができるとともに、吸収した経血等の隠蔽性を向上し得る。後者の隠蔽性の向上効果について説明すると、使用後のナプキン１を廃棄する際には通常、使用後のナプキン１をその非肌対向面Ｓｂを外側にして折り畳んだ状態としてから廃棄するところ、紫色部材（バックシート４）越しに視認される吸収体５の濃い青色は、該吸収体５に吸収保持されている経血と色合いが近いため、非肌対向面Ｓｂの目視において吸収体５の全体がこの濃い青色であると、ナプキン１の廃棄時に経血が目立ちにくくなるという効果が奏される。一方、ナプキン１の肌対向面Ｓａを目視したときにトップシート３等の典型的な白色系の部材越しに視認される吸収体５の青色は、紫色部材（バックシート４）の紫色領域越しに視認される吸収体５の青色と比較して、その色合いが薄いものとなるところ、この吸収体５の薄い青色は、見る者に優しい感じ、安心感を与え得る。
【００５５】
青色部材（単体で青色に視認可能な部材）である吸収体５の構成は特に限定されず、要は、吸収体５を他の部材を介さずに直接目視した場合に視認される色が青色であればよい。青色部材である吸収体５は、典型的には、少なくとも外面（肌対向面及び非肌対向面）が青色である。
例えば吸収体５が、図２に示すシートタイプの吸収体５Ａである場合、少なくとも吸収体５Ａの外面を形成する本体吸収性シート５１が青色であればよく、該シート５１によって全体が覆われる中央吸収性シート５０は、青色でも非青色でもよい。また吸収体５が、図３に示す積繊タイプの吸収体５Ｂである場合、少なくとも吸収体５Ｂの外面を形成するコアラップシート５３が青色であればよく、該シート５３によって全体が覆われる吸収性コア５２は、青色でも非青色でもよい。
青色部材は、紫色部材と同様に、白色又は白色に近い無彩色の部材（例えば前記のシート５１，５３の如き、青色部材の外面を形成する部材）を印刷等の公知の染色方法によって着色したものであってもよく、青色の原着繊維から構成されたものであってもよい。
【００５６】
ナプキン１の肌対向面Ｓａを観察した場合に視認できる吸収体５（青色部材）の青色、例えば、吸収体５の配置領域の肌対向面Ｓａから視認される青色は、その青色がもたらす心理効果をより一層確実に奏させるようにする観点から、色度ａ＊が、好ましくは−１０以上０以下、より好ましくは−９以上−２以下であり、且つ色度ｂ＊が、好ましくは−１０以上０以下、より好ましくは−９以上−１以下である。
ナプキン１の肌対向面Ｓａを観察した場合に視認できる紫色領域の紫色、例えば、青色部材（吸収体５）が配置されずに紫色部材（バックシート４）の紫色領域が配置された領域（例えばウイング部２Ｗ）の肌対向面Ｓａから視認される紫色は、その紫色がもたらす心理効果をより一層確実に奏させるようにする観点から、色度ａ＊が、好ましくは０以上２以下、より好ましくは０より大きく１．５以下であり、且つ色度ｂ＊が、好ましくは−１０以上０以下、より好ましくは−９以上−１以下である。
【００５７】
ナプキン１の肌対向面Ｓａを観察した場合に視認できる、吸収体５（青色部材）の青色と紫色領域の紫色との色度ａ＊の差は、前者から後者を差し引いた場合に、好ましくは３以上２０以下、より好ましくは５以上１５以下である。
ナプキン１の肌対向面Ｓａを観察した場合に視認できる、吸収体５（青色部材）の青色と紫色領域の紫色との色度ｂ＊の差は、前者から後者を差し引いた場合に、好ましくは−０．５以上−１０以下、より好ましくは−１以上−５以下である。
斯かる色度ａ＊及びｂ＊の差において、前記の「吸収体５（青色部材）」は、例えば、吸収体５（青色部材）の配置領域であり、前記の「紫色領域」は、例えば、吸収体５（青色部材）が配置されずに紫色部材（バックシート４）の紫色領域が配置された領域であり、図示の形態では例えばウイング部２Ｗである。
【００５８】
前述した紫色部材（バックシート４）が有する紫色領域の紫色がもたらす心理効果、更には吸収体５の色がもたらす心理効果をより一層確実に奏させるにする観点、特に、ナプキン１の肌対向面Ｓａと非肌対向面Ｓｂとで吸収体５の色（例えば青色）の見え方が異なる現象がより一層確実に発生するようにする観点から、バックシート４の全光線透過率は、好ましくは２０％以上８０％以下、より好ましくは２５％以上、そして、排泄物の隠蔽効果の観点からは、好ましくは８０％以下、より好ましくは６０％以下である。
【００５９】
同様の観点から、ナプキン１の他の構成部材の全光線透過率は以下のように設定することが好ましい。
トップシート３の全光線透過率は、好ましくは２０％以上、より好ましくは２５％以上、そして、排泄物の隠蔽効果の観点から、好ましくは８０％以下、より好ましくは６０％以下である。セカンドシート６の全光線透過率は、トップシート３と同じ範囲でよい。
吸収体５の全光線透過率は、好ましくは０％以上２０％以下、より好ましくは５％以上１５％以下である。
包装材１５の透明部分の全光線透過率は、好ましくは３０％以上、より好ましくは４０％以上であり、現実的な上限値としては９０％である。
なお、前記の各部材の全光線透過率は、測定対象の部材（例えばバックシート）を吸収性物品から取り出して前記方法により測定した場合の値である。
【００６０】
ナプキン１は、前述したとおり図４〜図６に示すように、未使用時あるいは廃棄時に包装材１５とともに折り畳まれて個装体２０とされるもので、個装体２０の外面には止着部材１６が配置されているところ、止着部材１６の色が、紫色領域（紫色部材であるバックシート４）の紫色又は吸収体５の非紫色（例えば青色）と同系統の色であることが好ましい。ここでいう、止着部材１６、紫色領域（バックシート４）及び吸収体５それぞれの色は、当該領域ないし部材を他の部材を介さずに直接目視した場合に視認される色を指す。また、「同系統の色」については前述したとおりである。止着部材１６の色が紫色領域又は吸収体５の色と同系統の色であることにより、これらの領域ないし部材の色がもたらす心理効果がより一層確実に奏されるようになる。また、止着部材１６の色が紫色領域又は吸収体５の色と同系統の色であると、止着部材１６を見た使用者に、その個装体２０に内包されているナプキン１の構成部材も止着部材１６と同系統の色に着色されているかもれないとの推理をさせることが可能となり、ナプキン１の使用前に使用者を楽しい気分にさせ得る。
【００６１】
また止着部材１６の色は、前記のように紫色領域（紫色部材であるバックシート４）の紫色又は吸収体５の非紫色（例えば青色）と同系統の色であることに加えて更に、その紫色又は非紫色（例えば青色）に比べて彩度Ｃ＊が高いことが好ましい。これにより、前述の止着部材１６の色による心理効果がより一層確実に奏される。
【００６２】
包装材１５が、前記透明部分の如き光透過性（全光線透過率）が相対的に高い高光透過性部と、相対的に低い低光透過性部とを有している場合、止着部材１６は、低光透過性部に配置されていることが好ましい。高光透過性部は、包装材１５で包装されているナプキン１の色を目視で視認可能な部分であるところ、そのようなナプキン１を視認可能な部分に止着部材１６が配置されていると、ナプキン１の視認の妨げになるためである。
【００６３】
以上の個装体２０に関する知見から、ナプキン１の好ましい一実施形態として下記が挙げられる。
ナプキン１の非肌対向面Ｓｂに、ナプキン１の包装する包装材１５が配置されており、
包装材１５に、ナプキン１を包装材１５とともに折り畳んで個装体２０としたときに該個装体２０の外面に位置して該包装材１５の端部を該包装材１５の所定位置に止着させる、止着部材１６が配置されており、
包装材１５は、光透過性が相対的に高光透過性部と相対的に低い低光透過性部とを有し、該低光透過性部に止着部材１６が配置されており、
止着部材１６の色は、紫色領域（紫色部材であるバックシート４）又は吸収体５の色と同系統の色であり、
個装体２０を目視したときに、前記高光透過性部越しに紫色領域（紫色部材であるバックシート４）又は吸収体５の色が視認可能である。
【００６４】
以下、機能材について説明する。本考案の吸収性物品は、冷感剤及び抗菌剤からなる群から選択される１種以上の機能材を含む。本考案の吸収性物品において、機能材の含有部位は特に制限されず、吸収性物品の構成部材のうちの１つ又は２つ以上に含有させることができる。複数種の機能材を使用する場合、複数種の機能材の全部を１つの構成部材に含有させてもよく、あるいは、複数種の一部を一部の構成部材に含有させ、複数種の他の一部を他の構成部材に含有させてもよい。
前述したナプキン１における機能材の含有部位の具体例として、トップシート３、セカンドシート６、吸収体５、バックシート４が挙げられる。
【００６５】
吸収性物品における機能材の含有形態の好ましい一例として、吸収体５が、図２に示すシートタイプの吸収体５Ａである場合に、吸収体５Ａの外面を形成する部材である本体吸収性シート５１に冷感剤が含有され、該シート５１に内包される部材である中央吸収性シート５０に抗菌剤が含有された形態（以下、「含有形態Ａ」とも言う。）が挙げられる。
前記含有形態Ａにおいて、吸収体５Ａに代えて、図３に示す積繊タイプの吸収体５Ｂを使用することもでき、その場合、吸収体５Ｂの外面を形成する部材であるコアラップシート５３に冷感剤が含有され、該シート５３に内包される部材である吸収性コア５２に抗菌剤が含有されることが好ましい。
吸収性物品における機能材の含有量は特に制限されず、機能材の種類、機能材の含有部位等に応じて適宜調整すればよい。
【００６６】
本考案で機能材として使用される冷感剤としては、吸収性物品の着用者の肌に接触したときに着用者に冷たさを感じさせるものを用いることができ、そのメカニズムは特に制限されず、例えば、ｉ）皮膚の神経にある受容体活性化チャネル（ＴＲＰＭ８）に作用するものでもよく、ｉｉ）気化熱により周囲の温度を下げるものでもよい。
前記ｉ）の冷感剤の具体例として、メントール（例えば、ｌ−メントール）及びその誘導体（例えば、乳酸メンチル）、サリチル酸メチル、カンファー、キュウリエキス、植物（例えば、ミント、ユーカリ、ナツメグ）由来の精油を例示できる。
前記ｉｉ）の冷感剤の具体例として、例えば、メタノール、エタノール等のアルコールを例示できる。
【００６７】
本考案で機能材として使用される抗菌剤としては、細菌の増殖を抑制可能なものを特に制限無く用いることができ、臭いの発生源を絶つ作用をするもの、すなわち臭気発生原因の肌常在菌や腸内細菌、これらの細菌由来の酵素の増殖を抑える作用を奏するものが好ましい。例えば、経血等の体液の腐敗臭の発生に関わる細菌の増殖、生育を抑制又は死滅させる抗菌剤を用いることができる。本考案で機能材として使用される抗菌剤としては、無機抗菌剤及び有機抗菌剤等から選ばれる１又は複数が挙げられる。
【００６８】
無機抗菌剤としては、例えば、銀、亜鉛、銅、鉄、マグネシウム、カルシウム、アルミニウム、アンチモン、ビスマス等の抗菌性金属イオン及び塩等を担体に担持させた微粒子粉末及び針状結晶から選ばれる１又は複数が挙げられ、該担体として、ゼオライト、シリカゲル、低分子ガラス、リン酸カルシウム、リン酸ジルコニウム、ケイ酸塩及び酸化チタン等から選ばれる１又は複数が挙げられる。
【００６９】
有機抗菌剤としては、カチオン性抗菌剤、アニオン性抗菌剤及びノニオン性抗菌剤から選ばれる１又は複数が挙げられる。
アニオン性抗菌剤としては、ピロクトンオラミン［１−ヒドロキシ−４−メチル−６−（２，４，４−トリメチルペンチル）−２（１Ｈ）−ピリドンモノエタノールアミン塩］、オレイン酸カリウム、１−ペンタスルホン酸ナトリウム、１−デカンスルホン酸ナトリウム、ブチルナフタレンスルホン酸ナトリウム、ドデシル硫酸ナトリウム、ドデシルベンゼンスルホン酸ナトリウム及びヘキサデシル硫酸ナトリウム等から選ばれる１又は複数が挙げられる。
ノニオン性抗菌剤としては、塩酸クロルヘキシジン、グルコン酸クロルヘキシジン、トリクロカルバン、トリクロサン、イソプロピルメチルフェノール、ハロカルバン及びパラオキシ安息香酸エステル等から選ばれる１又は複数が挙げられる。
カチオン性抗菌剤としては、第四級アンモニウム塩を含むものが挙げられる。第四級アンモニウム塩としては、特に制限なく用いることができ、例えば、アルキルピリジニウム塩、ベンゼトニウム塩、ベンザルコニウム塩、モノアルキルトリメチルアンモニウム塩、ジアルキルジメチルアンモニウム塩等が挙げられ、本考案で用いるカチオン性抗菌剤はこれらの第四級アンモニウム塩であり得る。第四級アンモニウム塩を含むカチオン性抗菌剤の中でも、特に、第四級アンモニウム塩として塩化セチルピリジニウム、塩化ベンゼトニウム、塩化デカリニウム、塩化ジデシルジメチルアンモニウム、セチルリン酸ベンザルコニウム及び塩化ベンザルコニウム等から選ばれる１又は複数を含有するものが好ましい。
塩化ベンザルコニウムとしては、花王株式会社より商品名サニゾールＢ−５０として販売されている抗菌剤を、セチルリン酸ベンザルコニウムとしては、花王株式会社より商品名サニゾールＰ−２として販売されている抗菌剤を用いることができる。
【００７０】
以上、本考案をその実施形態に基づいて説明したが、本考案は、前記実施形態に制限されることなく適宜変更が可能である。
例えば、前記実施形態では、吸収体が、単体で非紫色の有彩色（例えば青色）に視認可能な有彩色部材であったが、有彩色部材は吸収体に制限されず、吸収性物品の構成部材のほとんどすべてが有彩色部材となり得、例えば、トップシート、セカンドシート、サイドシートが有彩色部材となり得る。
本考案の吸収性物品は、人体から排出される体液（経血、尿、軟便、汗等）の吸収に用いられる物品を広く包含し、前述した生理用ナプキンの他、パンティライナー、おりものシート、失禁パッド、使い捨ておむつ等が包含される。
【符号の説明】
【００７１】
１  生理用ナプキン（吸収性物品）
２  吸収性本体部
３  トップシート
４  バックシート（紫色部材）
５，５Ａ，５Ｂ  吸収体（青色部材）
５０  中央吸収性シート
５１  本体吸収性シート
５２  吸収性コア
５３  コアラップシート
５Ｎ  吸収体非配置領域
６  セカンドシート
７  サイドシート
８  肌側凹陥部
９  非肌側凹陥部
１０  本体粘着部
１１  接着剤
１５  包装材
１６  止着部材
２０  個装体
Ｓａ  生理用ナプキン（吸収性物品）の肌対向面
Ｓｂ  生理用ナプキン（吸収性物品）の非肌対向面
Ｆ  前方域
Ｍ  縦中央域
Ｒ  後方域
Ｘ  縦方向
Ｙ  横方向
【図１】
0003226498.tif 000003
【図２】
0003226498.tif 000004
【図３】
0003226498.tif 000005
【図４】
0003226498.tif 000006
【図５】
0003226498.tif 000007
【図６】
0003226498.tif 000008
【手続補正書】
【提出日】令和2年3月12日(2020.3.12)
【手続補正１】
【補正対象書類名】実用新案登録請求の範囲
【補正対象項目名】全文
【補正方法】変更
【補正の内容】
【実用新案登録請求の範囲】
【請求項１】
着用者の前後方向に対応する縦方向と該縦方向に直交する横方向とを有するとともに、着用者の肌と当接し得る肌対向面と、該肌対向面とは反対側に位置する非肌対向面とを有し、構成部材として少なくとも、体液を吸収可能な吸収体と、該吸収体よりも着用者の肌から近い側に配置され、該肌対向面を形成するトップシートと、該吸収体よりも着用者の肌から遠い側に配置され、該非肌対向面を形成するバックシートとを具備する吸収性物品であって、
単体で紫色に視認可能な紫色領域が使用者に視認可能に配置されており、
冷感剤及び抗菌剤からなる群から選択される１種以上の機能材を含み、
前記紫色領域は、前記吸収性物品の構成部材のうちの１つ又は複数に含まれ、
前記機能材は、前記吸収性物品の構成部材のうちの１つ又は複数に含有されている、吸収性物品。
【請求項２】
前記バックシートが前記紫色領域を含み、
前記紫色領域が、前記吸収性物品の非肌対向面を目視したときに視認可能であるとともに、該吸収性物品の肌対向面を目視したときに、該肌対向面における前記吸収体の非配置領域において視認可能である、請求項１に記載の吸収性物品。
【請求項３】
前記吸収体を挟んで前記横方向の両外方に一対のウイング部を有し、該ウイング部は、前記バックシートを含んで構成され、該ウイング部と該吸収体との間に、吸収体非配置領域が前記縦方向に延在しており、
前記吸収性物品の肌対向面を目視したときに、前記ウイング部及び前記吸収体非配置領域にて前記紫色領域が視認可能であり、且つ該吸収体非配置領域は、該ウイング部に比べて、ＣＩＥ１９７６（Ｌ＊ａ＊ｂ＊）表色系における色度ａ＊が小さく、色度ｂ＊が大きい、請求項２に記載の吸収性物品。
【請求項４】
前記吸収体は、該吸収体の非肌対向面に凹陥部を有し、前記バックシートは、該凹陥部で該吸収体と接合されていない、請求項２又は３に記載の吸収性物品。
【請求項５】
前記吸収性物品の非肌対向面を目視したときに、前記吸収体の色が前記バックシートの前記紫色領域越しに視認可能であり、該紫色領域越しに視認される該吸収体の色が、該吸収性物品の肌対向面を目視したときに視認される該吸収体の色と異なる、請求項２〜４の何れか１項に記載の吸収性物品。
【請求項６】
前記吸収体が単体で非紫色の有彩色に視認可能である、請求項５に記載の吸収性物品。
【請求項７】
前記機能材として前記冷感剤を含み、前記非紫色の有彩色が青色である、請求項６に記載の吸収性物品。
【請求項８】
前記吸収性物品の肌対向面を観察した場合に視認できる前記吸収体の青色は、ＣＩＥ１９７６（Ｌ＊ａ＊ｂ＊）表色系における色度ａ＊が−１０以上０以下、色度ｂ＊が−１０以上０以下の範囲にある色であり、
前記吸収性物品の肌対向面を観察した場合に視認できる前記紫色領域の紫色は、ＣＩＥ１９７６（Ｌ＊ａ＊ｂ＊）表色系における色度ａ＊が０以上２以下、色度ｂ＊が−１０以上０以下の範囲にある色である、請求項７に記載の吸収性物品。
【請求項９】
前記吸収性物品の肌対向面を観察した場合に視認できる、前記青色と前記紫色との色度ａ＊の差が、前者から後者を差し引いた場合に、３以上２０以下であり、
前記吸収性物品の肌対向面を観察した場合に視認できる、前記青色と前記紫色との色度ｂ＊の差が、前者から後者を差し引いた場合に、−０．５以上−１０以下である、請求項８に記載の吸収性物品。
【請求項１０】
前記吸収性物品の非肌対向面に、該吸収性物品を包装する包装材が配置されており、該包装材は透明部分を有し、該透明部分越しに該吸収性物品の色が視認可能である、請求項１〜９の何れか１項に記載の吸収性物品。